(57)【特許請求の範囲】
【請求項１】
２次元又は３次元表示用の映像データの形式に対応した映像処理を実行して映像を表示する表示装置に対して映像データを送信する映像データ送信装置であって、
前記表示装置から、当該表示装置が前記２次元及び３次元表示用の映像データのどちらの形式に対応した映像処理を実行するかを示す判別情報を取得する取得手段と、
２次元表示用のメニュー画面と３次元表示用のメニュー画面とのうち、取得された前記判別情報が示す形式に対応したメニュー画面の映像データと前記２次元又は３次元表示用の映像データとを重畳して前記表示装置に送信する送信手段と、
前記メニュー画面の出力要求を受ける受付手段とを備え、
前記取得手段は、前記受付手段が前記メニュー画面の出力要求を受けた場合、前記表示装置に前記判別情報の要求を送信し、当該要求に対して前記表示装置から送信される前記判別情報を受信する、映像データ送信装置。
【請求項２】
２次元又は３次元表示用の映像データの形式に対応した映像処理を実行して映像を表示する表示装置に対して映像データを送信する映像データ送信装置であって、
前記表示装置から、当該表示装置が前記２次元及び３次元表示用の映像データのどちらの形式に対応した映像処理を実行するかを示す判別情報を取得する取得手段と、
２次元表示用のメニュー画面と３次元表示用のメニュー画面とのうち、取得された前記判別情報が示す形式に対応したメニュー画面の映像データと前記２次元又は３次元表示用の映像データとを重畳して前記表示装置に送信する送信手段と、
前記メニュー画面の出力要求を受ける受付手段とを備え、
前記取得手段は、前記受付手段が前記メニュー画面の出力要求を受けた後、前記表示装置に一定時間毎に前記判別情報の要求を送信する、映像データ出力装置。
【請求項３】
前記出力手段が出力する映像データが、２次元表示用及び３次元表示用の映像データのどちらであるかを示す情報を表示する表示手段を更に備える、請求項１または２いずれか記載の映像データ送信装置。
【請求項４】
前記取得手段は、前記表示装置から、当該表示装置が何れの形式の３次元表示用映像データに対応した映像処理を実行するかを示す形式情報を取得し、
前記送信手段は、取得された前記形式情報が示す形式に対応した３次元表示用の前記メニュー画面の映像データを送信する、請求項１または２いずれか記載の映像データ送信装置。
【請求項５】
前記送信手段は、前記３次元表示用のメニュー画面の映像を前記表示装置が表示する場合に、当該表示される映像が前記表示装置の表示画面よりも前面に表示される視差を有する前記３次元表示用の画面の映像データを前記表示装置に送信する、請求項１または２いずれか記載の映像データ送信装置。
【請求項６】
映像コンテンツの映像データが入力される入力手段と、
入力された前記映像データをデコードするデコード手段と
を更に備え、
前記送信手段は、前記デコード手段が前記映像データをデコードしている場合、前記２次元表示用のメニュー画面と前記３次元表示用のメニュー画面とのうち、デコードされている前記映像データの形式に対応した前記メニュー画面の映像データを、デコードされた前記映像データに重畳して送信する、請求項１または２いずれか記載の映像データ送信装置。
【請求項７】
２次元又は３次元表示用の映像データの形式に対応した映像処理を実行して映像を表示する表示装置に対して映像データを送信する装置における映像データ送信方法であって、
前記表示装置から、当該表示装置が２次元及び３次元表示用の映像データのどちらの形式に対応した映像処理を実行するかを示す判別情報を取得し、
２次元表示用のメニュー画面と３次元表示用のメニュー画面とのうち、取得された前記判別情報が示す形式に対応したメニュー画面の映像データと前記２次元又は３次元表示用の映像データとを重畳して前記表示装置に送信し、
前記メニュー画面の出力要求を受け、
前記メニュー画面の出力要求を受けた場合、前記表示装置に前記判別情報の要求を送信し、当該要求に対して前記表示装置から送信される前記判別情報を受信する、映像データ送信方法。
【請求項８】
２次元又は３次元表示用の映像データの形式に対応した映像処理を実行して映像を表示する表示装置に対して映像データを送信する装置における映像データ送信方法であって、
前記表示装置から、当該表示装置が２次元及び３次元表示用の映像データのどちらの形式に対応した映像処理を実行するかを示す判別情報を取得し、
２次元表示用のメニュー画面と３次元表示用のメニュー画面とのうち、取得された前記判別情報が示す形式に対応したメニュー画面の映像データと前記２次元又は３次元表示用の映像データとを重畳して前記表示装置に送信し、
前記メニュー画面の出力要求を受けた後、前記表示装置に一定時間毎に前記判別情報の要求を送信する、映像データ送信方法。
【発明の詳細な説明】
【技術分野】
【０００１】
本発明の実施形態は、映像データ送信装置及び映像データ送信方法に関する。
【背景技術】
【０００２】
２次元映像及び３次元映像を表示可能な３次元表示装置の技術がある。ここで当該表示装置においては、２次元映像を表示する場合には２次元映像表示に対応した映像処理を、３次元映像を表示する場合には３次元映像表示に対応した映像処理を実行する。そしてこのような表示装置が、映像データを送信する送信装置からの映像データを受信して当該映像データの映像を表示する場合がある。そしてこの場合にも表示装置は、送信装置から送信された映像データに対して、２次元又は３次元映像の表示に対応した映像処理を行って映像を表示する。
【先行技術文献】
【特許文献】
【０００３】
【特許文献１】特開２０１０−１６４９０１号公報
【発明の概要】
【発明が解決しようとする課題】
【０００４】
ここで、送信装置が映像データを表示装置に送信する場合には、当該表示装置が実行する映像処理に応じた映像データを送信できることが好ましい。
そこで本発明の実施形態は、表示装置が実行する映像処理に応じた映像データを送信できる映像データ送信装置及び映像データ送信方法の提供を目的とする。
【課題を解決するための手段】
【０００５】
上記の課題を解決するために、実施形態に係る映像データ送信装置は、２次元又は３次元表示用の映像データの形式に対応した映像処理を実行して映像を表示する表示装置に対して映像データを送信する映像データ送信装置であって、取得手段と送信手段と受付手段とを備える。取得手段は、表示装置から当該表示装置が２次元及び３次元表示用の映像データのどちらの形式に対応した映像処理を実行するかを示す判別情報を取得する。送信手段は、２次元表示用のメニュー画面と３次元表示用のメニュー画面とのうち、取得された判別情報が示す形式に対応したメニュー画面の映像データと前記２次元又は３次元表示用の映像データとを重畳して表示装置に送信する。受付手段は、前記メニュー画面の出力要求を受ける。前記取得手段は、前記受付手段が前記メニュー画面の出力要求を受けた場合、前記表示装置に前記判別情報の要求を送信し、当該要求に対して前記表示装置から送信される前記判別情報を受信する。
【図面の簡単な説明】
【０００６】
【図１】実施形態の再生装置の利用形態例を示す図。
【図２】実施形態の再生装置及び表示装置のシステム構成例を示す図。
【図３】実施形態の再生装置が送信する２次元表示用の画面データ例を示す図。
【図４】実施形態の再生装置が送信する３次元表示用の画面データ例を示す図。
【図５】実施形態の再生装置による画面データの送信に係る処理フロー例を示す図。
【発明を実施するための形態】
【０００７】
以下、図面を参照して実施形態を説明する。
図１は実施形態に係る映像データ送信装置の利用形態を示す図である。ここで本実施形態に係る映像データ送信装置は、例えば再生装置１００として実現されている。ここで再生装置１００は、表示装置２００と接続されている。
【０００８】
再生装置１００は、箱型の筐体を有しており、当該筐体の前面には、光学ディスクから映像データを読み込むＯＤＤ（Ｏｐｔｉｃａｌ  Ｄｉｓｃ  Ｄｒｉｖｅ）１０３、再生装置１００に関する情報を表示する表示部１０９等が設けられている。また再生装置１００は映像データ及び外部機器制御コマンドを送信するＨＤＭＩ  Ｉ／Ｆ１１４等を備える。
【０００９】
ここで再生装置１００は、ＯＤＤ１０３が光学ディスクから読み込んだ映像データをＨＤＭＩ  Ｉ／Ｆ１１４から表示装置２００に送信する機能を有する。また、再生装置１００は、当該再生装置１００が生成又は格納するメニュー画面等のＧＵＩの映像データをＨＤＭＩ  Ｉ／Ｆ１１４から表示装置２００に送信することができる。
【００１０】
表示装置２００は、再生装置１００からＨＤＭＩ  Ｉ／Ｆ２０１に入力された映像データの映像を表示部２０７に表示する。ここで表示装置２００は、２次元映像及び３次元映像を表示できる。表示装置２００は、再生装置１００から左目用画像と右目用画像とを含む３次元表示用の映像データが入力されている場合、シャッターメガネ３００のシャッターの開閉を制御することにより、当該シャッターメガネを装着したユーザに対して３次元映像を表示する。なおシャッターの開閉タイミングは、同期信号送信部２０８からシャッターメガネ３００に同期信号を送信することにより制御する。
【００１１】
表示装置２００は、３次元映像を表示する場合、３次元表示用の映像データに含まれる左目用画像と右目用画像とを交互に表示部２０７に表示する。ここで、３次元表示用の映像データには、例えばＳｉｄｅ−ｂｙ−Ｓｉｄｅ、Ｔｏｐ−ａｎｄ−Ｂｏｔｔｏｍ、Ｆｒａｍｅ−Ｐａｃｋｉｎｇ等の形式により左目用画像と右目用画像とが含められている。そして表示装置２００は、これらの形式のうちの何れかの形式に対応した映像処理を実行して左目用画像のフレームと右目用画像のフレームとを生成し、当該生成したフレームを交互に表示部２０７に表示する。
【００１２】
そして本実施形態の再生装置１００は、２次元及び３次元表示用のメニュー画面の映像データのうち、表示装置２００が実行する映像処理に対応した形式の映像データを当該表示装置２００に送信できる。そしてこのとき再生装置１００は、表示装置２００から、当該表示装置２００が実行する映像処理が、２次元及び３次元表示用映像データのうちどちらの映像データに対応した処理であるかについての判別情報を取得して、当該判別情報に基づいて、表示装置２００が実行する映像処理に対応したメニュー画面の映像データを送信してもよい。
【００１３】
次に図２を参照して、再生装置１００及び表示装置２００のシステム構成例を説明する。
再生装置１００は、チューナ部１０１、録画再生処理部１０２、ＯＤＤ１０３、記憶部１０４、ＧＵＩ出力部１０５、ミキシング部１０６、操作部１０７、受光部１０８、表示部１０９、制御部１１０、ＬＡＮ通信部１１５等を備える。
【００１４】
チューナ部１０１は、テレビ放送の放送信号を受信する。そしてチューナ部１０１は、受信した放送信号に重畳された映像データを抽出して、当該映像データを録画再生処理部１０２に出力する。
【００１５】
録画再生処理部１０２は、映像データの録画処理及び再生処理を実行する。録画処理において録画再生処理部１０２は、チューナ部１０１から入力された映像データをＯＤＤ１０３又は記憶部１０４に出力する。一方、再生処理において録画再生処理部１０２は、チューナ部１０１、ＯＤＤ１０３、記憶部１０４の何れかから入力された映像データをデコードして、当該デコードした映像データをＨＤＭＩ  Ｉ／Ｆ１１４に出力する。なお再生処理において録画再生処理部１０２は、デコードしている映像データが、２次元用の映像データであるか３次元用の映像データであるか、何れの形式の３次元用データであるか等を判別してもよい。
【００１６】
ＯＤＤ１０３は、ＤＶＤ等の光学ディスクに対する映像データの書き込み／読み込みを実行する。ＯＤＤ１０３は、制御部１１０から書込要求が入力され（制御部１１０からＯＤＤ１０３へのフローは不図示）、録画再生処理部１０２から映像データが入力されると、当該映像データをディスクに書き込む。またＯＤＤ１０３は、制御部１１０から読込要求を受けると、ディスクから映像データを読み込んで録画再生処理部１０２に出力する。
【００１７】
記憶部１０４は、ＨＤＤやメモリ等の記憶媒体に対する映像データの書き込み／読み込みを実行する。記憶部１０４は、制御部１１０から書込要求が入力され（制御部１１０から記憶部１０４へのフローは不図示）、録画再生処理部１０２から映像データが入力されると、当該映像データを記憶媒体に書き込む。また記憶部１０４は、制御部１１０から読込要求を受けると、記憶媒体から映像データを読み込んで録画再生処理部１０２に出力する。
【００１８】
ＧＵＩ出力部１０５は、メニュー画面等のＧＵＩをＨＤＭＩ  Ｉ／Ｆ１１４に出力する機能を有する。ここでＧＵＩ出力部１０５は、制御部１１０からの指示に応じた映像形式のメニュー画面を生成する。そしてＧＵＩ出力部１０５は、生成した画面データをＨＤＭＩ  Ｉ／Ｆ１１４に出力する。なおＧＵＩ出力部１０５は、必ずしも画面データを生成しなくともよく、例えばデータベース（不図示）に格納された各種形式の画面データの中から、制御部１１０の指示に応じた画面データを選択して読み込み、ＨＤＭＩ  Ｉ／Ｆ１１４に出力しても良い。即ちＧＵＩ出力部１０５は、出力形式決定部１１３が選択・決定した形式の画面データをＨＤＭＩ  Ｉ／Ｆ１１４に出力する。
【００１９】
ミキシング部１０６は、録画再生処理部１０２がＨＤＭＩ  Ｉ／Ｆ１１４に出力した映像データと、ＧＵＩ出力部１０５がＨＤＭＩ  Ｉ／Ｆ１１４に出力した画面データとを重畳させ、１つの映像データを生成する。そしてミキシング部１０６は、生成した映像データをＨＤＭＩ  Ｉ／Ｆ１１４に出力する。なおミキシング部１０６は、録画再生処理部１０２とＧＵＩ出力部１０５との一方からのみデータが入力されている場合等には、データを重畳させることなくＨＤＭＩ  Ｉ／Ｆ１１４に出力してもよい。
【００２０】
操作部１０７は、ユーザからの操作入力を受ける操作パネル（不図示）であり、受けた操作に応じた操作入力信号を操作受付部１１１に出力する。また受光部１０８は、リモートコントローラ（不図示）からの操作入力信号を受信し、受信した操作入力信号を操作受付部１１１に出力する。なお操作パネル及びリモートコントローラは、例えば映像の再生を指示する操作入力、映像の録画を指示する操作入力、メニュー画面の出力を指示する操作入力等を受ける。
【００２１】
表示部１０９は、再生装置１００に関する情報を表示する表示パネル等である。ここで表示部１０９は、例えば再生装置１００が出力中の映像のデータ形式等の情報を表示する。即ち表示部１０９は、再生装置１００が２次元表示用の映像データと３次元表示用の映像データとのどちらの形式の映像データを出力しているか、また、Ｓｉｄｅ−ｂｙ−Ｓｉｄｅ、Ｔｏｐ−ａｎｄ−Ｂｏｔｔｏｍ、Ｆｒａｍｅ−Ｐａｃｋｉｎｇ等の形式のうちの何れの形式の３次元表示用の映像データを出力しているか、等を示す情報を表示する。なお表示部１０９は、例えば出力形式決定部１１３から入力される出力形式情報に応じて、映像のデータ形式についての情報を表示する。
【００２２】
制御部１１０は、再生装置１００の各構成を制御する機能を有する。例えば操作受付部１１１が、チューナ１０１が受信した映像データと、ＯＤＤ１０３に格納されている光学ディスクに記録された映像データと、記憶部１０４に記憶された映像データとのうち、何れかの映像データを再生する操作入力を受けた場合、制御部１１０は、当該操作入力に応じたモジュールに対して読込要求又は映像出力要求を出力する。一方、操作受付部１１１が、チューナ１０１が受信した映像データを、ＯＤＤ１０３及び記憶部１０４に録画させる操作入力を受けると、制御部１１０は、録画再生処理部１０２に対して、当該操作入力に応じたモジュールへの映像データの出力を要求し、当該モジュールに対して映像データの書き込みを要求する。
【００２３】
また制御部１１０は、情報取得部１１２及び出力形式決定部１１３を備え、ＧＵＩ出力部１０５が出力する画面データの形式を決定する機能を有する。情報取得部１１２は、例えば操作受付部１１１がメニュー画面の生成・出力を指示する操作入力信号を受けると、表示装置２００に対して、当該表示装置２００が実行する映像処理が２次元表示用及び３次元表示用の映像データのうちどちらに対応した映像処理であるかを示す判別情報や、表示装置２００が何れの形式の３次元表示用映像データに対応した画像処理を実行しているかを示す３次元形式情報等の情報を、ＬＡＮ通信部１１５又はＨＤＭＩ  Ｉ／Ｆ２０１を介して取得する。なお３次元形式情報は、表示装置２００が３次元表示用映像データの映像を表示する場合に、当該３次元表示用映像データがＳｉｄｅ−ｂｙ−Ｓｉｄｅ、Ｔｏｐ−ａｎｄ−Ｂｏｔｔｏｍ、Ｆｒａｍｅ−Ｐａｃｋｉｎｇ等のうちの何れの形式のであるかを示す情報である。
【００２４】
ここで即ち情報取得部１１２は、表示装置２００に対して判別情報や３次元形式情報を要求するコマンドを、例えばＨＤＭＩ  Ｉ／Ｆ１１４又はＬＡＮ通信部１１５に送信させる。そして情報取得部１１２は、当該要求に対する表示装置２００から応答コマンドを受信する。そして情報取得部１１２は、当該応答コマンドに含まれる判別情報や３次元形式情報を抽出する。そして情報取得部１１２は、取得した判別情報及び３次元形式情報を出力形式決定部１１３に出力する。
【００２５】
また情報取得部１１２は、録画再生処理部１０２が映像データを再生してＨＤＭＩ  Ｉ／Ｆ１１４に出力している場合、当該再生中の映像データが２次元表示用及び３次元表示用のどちらの映像データであるかを示す判別情報、及び当該映像データが３次元表示用である場合に何れの形式の映像データであるかを示す３次元形式情報を録画再生処理部１０２から取得して、取得したこれらの情報を出力形式決定部１１３に出力してもよい。
【００２６】
出力形式決定部１１３は、ＧＵＩ出力部１０５が出力するメニュー画面の映像データの形式を決定する。ここで出力形式決定部１１３は、情報取得部１１２から入力された判別情報が２次元の旨を示している場合、ＧＵＩ出力部１０５が出力する映像データ形式を２次元用の形式として決定し、当該判別情報が３次元の旨を示している場合は、ＧＵＩ出力部１０５が出力する映像データ形式を３次元用の形式として決定する。
【００２７】
なおここで出力形式決定部１１３は、３次元用の形式として決定する場合、Ｓｉｄｅ−ｂｙ−Ｓｉｄｅ、Ｔｏｐ−ａｎｄ−Ｂｏｔｔｏｍ、Ｆｒａｍｅ−Ｐａｃｋｉｎｇ等のうちの何れかの形式に決定する。そして出力形式決定部１１３は、決定した形式でのメニュー画面のデータ出力をＧＵＩ出力部１０５に指示するとともに、当該決定した形式についての出力形式情報を表示部１０９に出力する。
【００２８】
ＨＤＭＩ  Ｉ／Ｆ１１４は、映像データの送信及び制御コマンドの送受信を処理する。即ちＨＤＭＩ  Ｉ／Ｆ１１４は、ＧＵＩ出力部１０５及び録画再生処理部１０２から入力された映像データを、ＨＤＭＩ規格に準拠した無線／有線デジタルインタフェースを介して表示装置２００のＨＤＭＩ  Ｉ／Ｆ２０１に送信する。またＨＤＭＩ  Ｉ／Ｆ１１４は、情報取得部１１２からの指示に応じて、例えばＨＤＭＩ−ＣＥＣのベンダ独自コマンド等により表示装置２００に判別情報や３次元形式情報を要求する。そしてＨＤＭＩ  Ｉ／Ｆ１１４は、当該要求に対する応答コマンドを受信すると、受信した応答コマンドを情報取得部１１２に出力する。
【００２９】
またＨＤＭＩ  Ｉ／Ｆ１１４は、表示装置２００からのＨＤＭＩーＣＥＣによる各種操作用の制御コマンドを受信する。例えばＨＤＭＩ  Ｉ／Ｆ１１４は、メニュー画面を出力させる制御コマンド、チューナ部１０１が受信した映像データ、ＯＤＤ１０３に格納されたディスクの映像データ、記憶部１０４が記憶する映像データのうちの何れかの映像データを再生して表示装置２００に出力させる制御コマンド等を受信する。そしてＨＤＭＩ  Ｉ／Ｆ１１４は、当該受信した制御コマンドに応じた指示を操作受付部１１１に出力する。
【００３０】
ＬＡＮ通信部１１５は、情報取得部１１２からの指示に応じて、無線／有線ＬＡＮ通信により表示装置２００に判別情報や３次元形式情報を要求するコマンドを送信する。そしてＬＡＮ通信部１１５は、当該要求に対する応答コマンドを受信すると、当該応答を情報取得部１１２に出力する。
【００３１】
次に表示装置２００を説明する。表示装置２００は、ＨＤＭＩ  Ｉ／Ｆ２０１、ＬＡＮ通信部２０２、設定部２０３、再生制御部２０４、３次元映像処理部２０５、表示制御部２０６、表示部２０７、同期信号送信部２０８等を備える。
【００３２】
ＨＤＭＩ  Ｉ／Ｆ２０１は、再生装置１００から送信された映像データ及び制御コマンドを受信する。ここでＨＤＭＩ  Ｉ／Ｆ２０１は、受信した映像データを再生制御部２０４に出力する。またＨＤＭＩ  Ｉ／Ｆ２０１は、再生装置１００から判別情報や３次元形式情報を要求する制御コマンドを受信した場合、再生制御部２０４に対して、表示装置２００が実行する映像処理が何れの形式の映像データに対応した処理であるかを問い合わせる。そしてＨＤＭＩ  Ｉ／Ｆ２０１は、表示装置２００に設定されている映像処理が対応する映像データの形式についての判別情報や３次元形式情報を含む応答コマンドを再生装置１００に送信する。
【００３３】
ＬＡＮ通信部２０２は、再生装置１００から形式情報を要求するコマンドを受信した場合、ＨＤＭＩ  Ｉ／Ｆ２０１と同様に、再生制御部２０４に対して、表示装置２００が実行する映像処理について問い合わせ、判別情報や３次元形式情報を含む応答コマンドを再生装置１００に送信する。
【００３４】
設定部２０３は、表示装置２００が何れの形式の映像データに対応した映像処理を実行するかを設定する。即ち設定部２０３は、表示部２０７に２次元映像を表示する場合、２次元映像の表示に応じた映像処理形式を設定する。また設定部２０３は、表示部２０７に３次元映像を表示する場合、３次元映像の表示に応じた複数の映像処理形式のうち何れかの形式を設定する。なお３次元映像の表示に応じた映像処理形式とは、例えばＳｉｄｅ−ｂｙ−Ｓｉｄｅ、Ｔｏｐ−ａｎｄ−Ｂｏｔｔｏｍ、Ｆｒａｍｅ−Ｐａｃｋｉｎｇ等である。なお設定部２０３は、例えばユーザからの操作入力に応じて映像処理形式を設定する。そして設定部２０３は、設定した映像処理形式を再生制御部２０４に通知する。
【００３５】
なお設定部２０３は、映像処理形式を変更した場合に、変更後の映像処理形式をＨＤＭＩ  Ｉ／Ｆ２０１又はＬＡＮ通信部２０２から再生装置１００に通知してもよい。
【００３６】
再生制御部２０４は、ＨＤＭＩ  Ｉ／Ｆ２０１から映像データが入力されると、当該映像データに対して、設定部２０３が設定した形式による映像処理を実行する。再生制御部２０４は、設定部２０３が２次元表示用の映像データに対応した映像処理を設定している場合、再生制御部２０４に入力された映像データを表示制御部２０６に出力する。一方再生制御部２０４は、設定部２０３が３次元表示用映像データに対応した映像処理を設定している場合、再生制御部２０４に入力された映像データを３次元映像処理部２０５に出力するとともに、当該３次元映像処理部２０５に対して映像処理形式を指示する。即ちここで再生制御部２０４は、３次元映像処理部２０５に対して、Ｓｉｄｅ−ｂｙ−Ｓｉｄｅ、Ｔｏｐ−ａｎｄ−Ｂｏｔｔｏｍ、Ｆｒａｍｅ−Ｐａｃｋｉｎｇ等のうちの何れかの形式の映像データに対応した映像処理を指示する。
【００３７】
３次元映像処理部２０５は、入力された映像データを処理して左目用画像のフレームと右目用画像のフレームとを生成する。ここで３次元映像処理部２０５は、再生制御部２０４からの指示に応じた映像処理を実行する。即ち３次元映像処理部２０５は、Ｓｉｄｅ−ｂｙ−Ｓｉｄｅの映像データに対応した映像処理を指示されている場合、入力された映像データの１のフレームの左右を分割して、当該フレームの左右に含まれる左目用画像と右目用画像とを分離させる。そして分離した画像の解像度を調整・高解像度化して左目用画像のフレームと右目用画像のフレームとを生成し、当該生成したフレームを交互に表示制御部２０６に出力する。なおここで３次元映像処理部２０５は、当該３次元映像処理部２０５に入力される映像データのフレームレートの２倍のフレームレートで、当該生成したフレームを表示制御部２０６に出力する。
【００３８】
また、３次元映像処理部２０５はＴｏｐ−ａｎｄ−Ｂｏｔｔｏｍ形式の映像データに対応した映像処理の指示を受けている場合、入力された映像データの１のフレームの上下を分割して、当該フレームの上下に含まれる左目用画像と右目用画像とを分離させる。そして３次元映像処理部２０５は、分離させた画像から左目用画像のフレームと右目用画像のフレームとを生成し、左目用画像のフレームと右目用画像のフレームとを交互に表示制御部２０６に出力する。なお３次元映像処理部２０５は、生成したフレームを、例えば入力される映像データのフレームレートの２倍のフレームレートで表示制御部２０６に出力する。
【００３９】
また３次元映像処理部２０５はＦｒａｍｅ−Ｐａｃｋｉｎｇ形式の映像データに対応した映像処理の指示を受けている場合、入力された映像データにパッキングされている左目用画像のフレームと右目用画像のフレームとを、夫々別のフレームとして交互に表示制御部２０６に出力する。
【００４０】
表示制御部２０６は、入力された映像データを表示装置用の映像信号に変換して表示部２０７に出力する。そして表示部２０７は、表示制御部２０６から入力された映像信号の映像を表示する。
【００４１】
また表示制御部２０６は、３次元用の映像データが入力されている場合、表示部２０７に出力している映像信号が右目用画像及び左目用画像のうち何れの映像信号であるかを示す同期信号を、同期信号送信部２０８に出力する。
【００４２】
同期信号送信部２０８は、表示制御部２０６から入力された同期信号を、シャッターメガネ３００に対して送信する。そしてシャッターメガネ３００は、受信した同期信号に基づいたタイミングで右目及び左目シャッターを開閉する。
【００４３】
次に図３を参照して、ＧＵＩ出力部１０５が出力する２次元表示用のメニュー画面例を説明する。
図３に示すメニュー画面Ａ１には、メニュー画像Ａ２と背景画像Ａ３とが含まれる。ここでＧＵＩ出力部１０５は、録画再生処理部１０２が、映像データを再生してＨＤＭＩ  Ｉ／Ｆ１１４に出力していない場合に当該メニュー画面Ａ１をＨＤＭＩ  Ｉ／Ｆ１１４に出力する。一方、録画再生処理部１０２が映像データをＨＤＭＩ  Ｉ／Ｆ１１４に出力している場合、ＧＵＩ出力部１０５は、背景画像Ａ３を出力せずにメニュー画像Ａ２をＨＤＭＩ  Ｉ／Ｆ１１４に出力する。そしてミキシング部１０６は、録画再生処理部１０２が出力した映像データと、ＧＵＩ出力部１０５が出力したメニュー画像とを重畳してＨＤＭＩ  Ｉ／Ｆ１１４に出力する。
【００４４】
次に図４を参照して、ＧＵＩ出力部１０５が出力する３次元表示用のメニュー画面例を説明する。
図４（Ａ）は、ＧＵＩ出力部１０５が出力する、Ｓｉｄｅ−ｂｙ−Ｓｉｄｅ形式に対応したメニュー画面の例である。ここでメニュー画面Ａ１０には、左目用メニュー画面Ａ１１と右目用メニュー画面Ａ１２が含まれる。そして左目用メニュー画面１１には左目用メニュー画像Ａ１３と左目用背景画像Ａ１４とが、右目用メニュー画面１２には右目用メニュー画像Ａ１５と右目用背景画像Ａ１６とが含まれる。
【００４５】
図４（Ｂ）は、ＧＵＩ出力部１０５が出力する、Ｔｏｐ−ａｎｄ−Ｂｏｔｔｏｍ形式に対応したメニュー画面の例である。ここでメニュー画面Ａ２０には、左目用メニュー画面Ａ２１と右目用メニュー画面Ａ２２が含まれる。そして左目用メニュー画面２１には左目用メニュー画像Ａ２３と左目用背景画像Ａ２４とが、右目用メニュー画面２２には右目用メニュー画像Ａ２５と右目用背景画像Ａ２６とが含まれる。
【００４６】
図４（Ｃ）は、ＧＵＩ出力部１０５が出力する、Ｆｒａｍｅ−Ｐａｃｋｉｎｇ形式に対応したメニュー画面の例である。ここでメニュー画面Ａ３０には、左目用メニュー画面Ａ３１と右目用メニュー画面Ａ３２が含まれる。また、当該左目用画面及び右目用画面との間には、映像データが存在しない領域であるＡｃｔｉｖｅ  Ｓｐａｃｅが存在する。そして左目用メニュー画面３１には左目用メニュー画像Ａ３４と左目用背景画像Ａ３５とが、右目用メニュー画面３２には右目用メニュー画像Ａ３６と右目用背景画像Ａ３７とが含まれる。
【００４７】
なお図３でも述べたように、ＧＵＩ出力部１０５は、録画再生処理部１０２が映像データを再生してＨＤＭＩ  Ｉ／Ｆ１１４に出力している場合、左目用及び右目用メニュー画像を含み、背景用画像を含まない画面データを出力する。そしてミキシング部１０６は、録画再生処理部１０２が出力した映像データと、ＧＵＩ出力部１０５が出力した画面データとを重畳してＨＤＭＩ  Ｉ／Ｆ１１４に出力する。
【００４８】
次に図５を参照して、再生装置１００によるメニュー画面の出力に係る処理フロー例を説明する。まず操作受付部１１１は、メニュー画面の表示を要求する操作入力を受け付ける（Ｓ５０１）。なおメニュー画面の表示を要求する操作入力とは、再生装置１００の操作部１０７や受講部１０８から操作受付部１１１に入力された操作入力と、表示装置２００から再生装置１００に送信された制御コマンドに基づいて操作受付部１１１に入力された指示とを含む。
【００４９】
次に制御部１１０は、録画再生処理部１０２が映像データを再生してＨＤＭＩ  Ｉ／Ｆ１１４に出力しているか否かを判別する（Ｓ５０２）。ここで、映像データが再生されていない場合（Ｓ５０２のＮｏ）、情報取得部１１２は、ＨＤＭＩ  Ｉ／Ｆ１１４又はＬＡＮ通信部１１５を介して、表示装置２００が２次元表示用映像データと３次元表示用映像データとのうち、何れの映像データに対応した画像処理を実行しているかを示す識別情報を取得する（Ｓ５０３）。
【００５０】
ここで、表示装置２００に設定されている映像処理形式が２次元表示用の映像データに対応した形式であった場合（Ｓ５０４のＮｏ）、出力形式決定部１１３は、メニュー画面データの出力形式を２次元として決定する（Ｓ５０５）。一方Ｓ５０４において、表示装置２００に設定されている映像処理形式が３次元表示用の映像データに対応した形式であった場合（Ｓ５０４のＹｅｓ）、情報取得部１１２は、表示装置２００に対してＨＤＭＩ  Ｉ／Ｆ１１４又はＬＡＮ通信部１１５を介し、３次元形式情報を取得する（Ｓ５０６）。
【００５１】
そして出力形式決定部１１３は、３次元形式情報に基づいて、３次元表示用のメニュー画面データの出力形式を決定する（Ｓ５０７）。そしてＧＵＩ出力部１０５は、Ｓ５０５又はＳ５０７で決定されて形式のメニュー画面データを生成してＨＤＭＩ  Ｉ／Ｆ１１４に出力し、ＨＤＭＩ  Ｉ／Ｆ１１４は当該メニュー画面データを表示装置２００に出力する（Ｓ５０８）。
【００５２】
一方、Ｓ５０２において録画再生処理部１０２が映像データを再生中の場合（Ｓ５０２のＹｅｓ）、情報取得部１１２は当該録画再生処理部１０２が再生中の映像が２次元用であるか３次元用であるかを問い合わせ、判別情報を取得する（Ｓ５０９）。そして、再生中の映像データの形式が２次元用である場合（Ｓ５１０のＮｏ）、出力形式決定部１１３は、メニュー画面データの出力形式を２次元として決定する（Ｓ５１１）。なおここで出力形式決定部１１３は、背景画像を含まない形式でのメニュー画面の出力を決定する。
【００５３】
一方Ｓ５１０において、録画再生処理部１０２が再生する映像データが３次元表示用である場合（Ｓ５１０のＹｅｓ）、情報取得部１１２は録画再生処理部１０２から、再生中の映像データの３次元形式情報を取得する（Ｓ５１２）。そして出力形式決定部１１３は、取得した３次元形式情報に基づいて、ＧＵＩ出力部１０５が出力するメニュー画面のデータ形式を決定する（Ｓ５１３）。そしてＧＵＩ出力部１０５は、Ｓ５１１又はＳ５１３で決定されたデータ形式で、背景画像を含まないメニュー画面の画面データを生成する。そして当該画面データと再生された映像データとを重畳してＨＤＭＩ  Ｉ／Ｆ１１４に出力し、ＨＤＭＩ  Ｉ／Ｆ１１４は当該重畳された映像データを表示装置２００に送信する（Ｓ５１４）。そして本処理フローは完了する。
【００５４】
なお再生装置１００は、録画再生処理部１０２が映像データを再生中か否かにかかわらずＳ５０３乃至Ｓ５０８の処理を実行しても良いが、再生中の場合に当該再生中の映像データの形式とメニュー画面の形式とを一致させて表示装置２００に出力することにより、表示装置に再生映像とメニュー画面との両方を好適に表示させることができる。
【００５５】
なお、例えば表示装置２００が、Ｓｉｄｅ−ｂｙ−Ｓｉｄｅ、Ｔｏｐ−ａｎｄ−Ｂｏｔｔｏｍ、Ｆｒａｍｅ−Ｐａｃｋｉｎｇ等の形式のうち何れか１つの形式の映像データにのみ対応している場合等において、再生装置１００は３次元形式情報を取得しなくとも構わない。そしてこの場合再生装置１００は、例えば予め表示装置２００が対応する３次元表示用映像データの形式を登録し、判別情報が３次元を示す場合は、当該登録した形式の映像データに対応したメニュー画面を出力すればよい。
【００５６】
また再生装置１００は、必ずしも判別情報や３次元形式情報を取得しなくともよく、例えばユーザからの操作入力を受け付け、当該操作入力に従って、出力するメニュー画面の形式を選択し、当該選択した形式のメニュー画面を表示装置２００に送信してもよい。
【００５７】
なお図５のフロー例においては、再生装置１００はメニュー画面表示要求を受けた場合に判別情報や３次元形式情報を取得するとして説明したが、これらの情報は一定期間毎に取得してもよい。更に再生装置１００は、メニュー画面を出力している場合とそうでない場合とで異なる期間毎にこれらの情報を取得してもよい。
【００５８】
つまり、例えばメニュー表示要求前には数分や数秒毎に情報を取得し、表示要求を受けてメニュー画面を出力している際には数百ミリ秒毎に情報を取得し、メニュー画面の出力を終了させる要求を受けた後には再度数分や数秒毎に情報を取得してもよい。一定期間毎に取得することにより、再生装置１００は、例えばメニュー画面を出力した後に表示装置２００側で映像処理形式が変更された場合でも、変更後の映像処理形式に対応したメニュー画面の出力を継続できる。
【００５９】
更に再生装置１００は、表示装置２００に設定されている視差調整値についての情報を取得してもよい。そして再生装置１００は、当該視差調整値に基づいて、表示装置２００に表示される場合に視差を有さない、即ち左目用画像と右目用画像とが同じ位置に表示される３次元表示用のメニュー画面データを生成し、当該生成した画面データを表示装置２００に出力してもよい。また再生装置１００は、表示装置２００に表示される際に、当該表示装置２００の表示画面の前面に浮き出るような視差を有する３次元表示用のメニュー画面データを生成して表示装置２００に出力してもよい。そしてこの場合にも再生装置１００は、取得した視差調整値に応じた視差を有するメニュー画面データを生成しても構わない。
【００６０】
なお視差調整値とは、３次元表示用の映像データから左目用画像のフレーム及び右目用画像のフレームを生成する場合に、映像データ入力時の左目用画像と右目用画像との視差を調整・変更する為の値である。例えば表示装置２００に入力された３次元表示用の映像データに含まれる左目用画像と右目用画像との視差が無い場合であっても、表示装置２００が視差調整値に応じた視差調整処理を実行すると、生成・表示される左目用画像と右目用画像とは視差のある画像となる。
【００６１】
また、表示装置２００から判別情報や３次元形式情報を取得する通信形式は必ずしもＬＡＮ通信やＨＤＭＩ通信でなくともよく、例えばＵＡＲＴや赤外線等の通信により取得しても構わない。また再生装置１００は、ＧＵＩ出力部１０５及び録画再生処理部１０２が出力する映像データを符号化した後に表示装置２００に出力しても構わない。そして再生装置１００は、必ずしもＨＤＭＩに準拠した形式により映像データを出力する必要は無く、表示装置２００に符号化／非符号化映像データを出力できれば、他のデジタルインタフェースにより出力しても構わない。
【００６２】
また表示装置２００は、偏光メガネを装着したユーザに対して偏光形式の３次元映像を表示してもよい。更に表示装置２００は、シャッターメガネ３００や偏光メガネ等の３次元映像視聴用メガネを装着していないユーザに対して、例えばインテグラルイメージング形式、レンチキュラ形式、パララックスバリア形式等の形式により３次元映像を表示するものであっても構わない。そして再生装置１００は、これらの形式に対応した画面の映像データを出力してもよい。なおこの場合にも再生装置１００は、表示装置２００から３次元形式情報を取得して、当該形式情報に基づいて、偏光形式、インテグラルイメージング形式、レンチキュラ形式、パララックスバリア形式等の形式のうちの何れかの形式に対応したメニュー画面データを選択して表示装置２００に出力する。
【００６３】
そして上記の実施形態によれば、再生装置１００は表示装置２００に設定された映像処理の形式に応じた映像データを当該表示装置２００に送信することができる。
なお、本発明の実施形態は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００６４】
１００…再生装置、１０１…チューナ部、１０２…録画再生処理部、１０３…ＯＤＤ（Ｏｐｔｉｃａｌ  Ｄｉｓｃ  Ｄｒｉｖｅ）、１０４…記憶部、１０５…ＧＵＩ出力部、１０６…ミキシング部、１０７…操作部、１０８…受光部、１０９…表示部、１１０…制御部、１１１…操作受付部、１１２…情報取得部、１１３…出力形式決定部、１１４…ＨＤＭＩ  Ｉ／Ｆ、１１５…ＬＡＮ通信部、２００…表示装置、２０１…ＨＤＭＩ  Ｉ／Ｆ、２０２…ＬＡＮ通信部、２０３…設定部、２０４…再生制御部、２０５…３次元映像処理部、２０６…表示制御部、２０７…表示部、２０８…同期信号送信部、３００…シャッターメガネ
【図１】
0005586403.tif 000002
【図２】
0005586403.tif 000003
【図３】
0005586403.tif 000004
【図４】
0005586403.tif 000005
【図５】
0005586403.tif 000006